【手続補正書】
【提出日】平成27年6月25日(2015.6.25)
【手続補正１】
【補正対象書類名】特許請求の範囲
【補正対象項目名】全文
【補正方法】変更
【補正の内容】
【特許請求の範囲】
【請求項１】
電力系統に接続される一の電力変換器に対して、二次電池を有する組電池が複数並列に接続される電力貯蔵システムの制御装置であって、
満充電状態より低い電池容量である充電上限値と放電終止状態より高い電池容量である放電下限値との区間で示される前記組電池の充放電許容範囲は、前記充放電許容範囲側に設けられる前記充電上限値からの所定範囲を示す上限維持範囲、及び前記充放電許容範囲側に設けられる前記放電下限値からの所定範囲を示す下限維持範囲のうち、少なくとも一つの範囲と、前記上限維持範囲及び前記下限維持範囲以外の区間である通常運転範囲とを有し、
少なくとも一の前記二次電池の電池容量が、前記上限維持範囲または前記下限維持範囲に到達したことを検出した場合に、全ての前記組電池を、前記通常運転範囲の方向に充放電制御する充放電制御手段を具備する電力貯蔵システムの制御装置。
【請求項２】
前記充放電制御手段は、前記二次電池のセル電圧、または前記二次電池の充電率の少なくとも一方に基づいて、前記二次電池の電池容量を算出する請求項１に記載の電力貯蔵システムの制御装置。
【請求項３】
前記電力貯蔵システムが前記電力系統と連系している場合に、
前記充放電制御手段は、少なくとも一の前記二次電池の電池容量が、前記上限維持範囲に到達したことを検出した場合に、各前記組電池に対し、前記電力系統側から充電指令を取得したか否かに関わらず、充電を制限させる充電制限指令を出力する請求項１または請求項２に記載の電力貯蔵システムの制御装置。
【請求項４】
前記電力貯蔵システムが単独運転している場合に、
前記充放電制御手段は、少なくとも一の前記二次電池の電池容量が、前記上限維持範囲に到達したことを検出した場合に、余剰電力の充電を行わせないように充電を制限させる充電制限指令を出力する請求項１から請求項３のいずれかに記載の電力貯蔵システムの制御装置。
【請求項５】
前記組電池の前記充放電許容範囲は、前記上限維持範囲の下限値に上限維持制御解除設定値を設け、
前記充放電制御手段は、各前記二次電池のセル電圧及び前記二次電池の充電率が、前記上限維持制御解除設定値となったことを検出した場合に、充放電制御を解除する請求項２から請求項４のいずれかに記載の電力貯蔵システムの制御装置。
【請求項６】
前記充放電制御手段は、少なくとも一の前記二次電池の電池容量が、前記下限維持範囲に到達したことを検出した場合に、各前記組電池に対し、所定値で強制的に充電をさせる強制充電指令を出力する請求項１から請求項５のいずれかに記載の電力貯蔵システムの制御装置。
【請求項７】
前記組電池の前記充放電許容範囲は、前記下限維持範囲の上限値に下限維持制御解除設定値を設け、
前記充放電制御手段は、各前記二次電池のセル電圧及び前記二次電池の充電率が、前記下限維持制御解除設定値となったことを検出した場合に、充放電制御を解除する請求項１から６のいずれかに記載の電力貯蔵システムの制御装置。
【請求項８】
前記充放電制御手段は、少なくとも一の前記二次電池の電池容量が、前記下限維持範囲に到達したことを検出した場合に、各前記組電池に対し、所定値、または前記電力系統側から取得した充電電力指令のうち、どちらか一方の大きい充電値により、充電をさせる請求項１から請求項７のいずれかに記載の電力貯蔵システムの制御装置。
【請求項９】
前記充放電制御手段は、少なくとも一の前記二次電池の電池容量が、前記下限維持範囲に到達したことを検出し、かつ、前記電力系統の電力余剰状態が検出された場合に、充電量を増大させるゲインを与え、充放電制御する請求項１から請求項８のいずれかに記載の電力貯蔵システムの制御装置。
【請求項１０】
前記充放電制御手段は、前記二次電池の電池容量が、前記充電上限値または前記放電下限値に近づくにつれて、充放電を抑制させるゲインを与え、充放電制御する請求項１から請求項９のいずれかに記載の電力貯蔵システムの制御装置。
【請求項１１】
前記電力貯蔵システムは、
各前記組電池に対応付けられた、各前記組電池間の電圧調整を行う複数のコンバータと、
各前記組電池に対応付けられた、前記コンバータと前記電力系統側との間に設けられる複数の切替手段とを具備する場合に、
前記充放電制御手段は、少なくとも一の前記二次電池の電池容量が、前記上限維持範囲または前記下限維持範囲に到達したことを検出した場合に、一部の前記組電池に対応付けられた前記切替手段を非接続状態にし、前記組電池に対応付けられた前記切替手段が接続状態のままとなっている他の前記組電池を、前記上限維持範囲の下限値に設けられる上限維持制御解除設定値または前記下限維持範囲の上限値に設けられる下限維持制御解除設定値まで充放電制御させる請求項１から請求項１０のいずれかに記載の電力貯蔵システムの制御装置。
【請求項１２】
前記電力系統側の電力需要が安定したことが検出された場合に、
前記切替手段を非接続状態にされた一部の前記組電池と、前記切替手段が接続状態のままとされていた前記組電池との全ての前記組電池を、前記電力系統に連系させ、各前記コンバータによって電力調整させた後、通常運転させる請求項１１に記載の電力貯蔵システムの制御装置。
【請求項１３】
他の前記組電池に対応付けられた前記切替手段を非接続状態にし、一部の前記組電池に対応付けられた前記切替手段を接続状態にし、他の前記組電池に設定していた充電量と共通の充電量を、一部の前記組電池に設定する充電量とし、充放電制御させた後、前記電力系統に連系させる請求項１１に記載の電力貯蔵システムの制御装置。
【請求項１４】
請求項１から請求項１３のいずれかに記載の電力貯蔵システムの制御装置を具備する電力貯蔵システム。
【請求項１５】
電力系統に接続される一の電力変換器に対して、二次電池を有する組電池が複数並列に接続される電力貯蔵システムの制御方法であって、
満充電状態より低い電池容量である充電上限値と放電終止状態より高い電池容量である放電下限値との区間で示される前記組電池の充放電許容範囲は、前記充放電許容範囲側に設けられる前記充電上限値からの所定範囲を示す上限維持範囲、及び前記充放電許容範囲側に設けられる前記放電下限値からの所定範囲を示す下限維持範囲のうち、少なくとも一つの範囲と、前記上限維持範囲及び前記下限維持範囲以外の区間である通常運転範囲とを有し、
少なくとも一の前記二次電池の電池容量が、前記上限維持範囲または前記下限維持範囲となったことが検出された場合に、全ての前記組電池を、前記通常運転範囲の方向に充放電制御する充放電制御過程を有する電力貯蔵システムの制御方法。
【請求項１６】
電力系統に接続される一の電力変換器に対して、二次電池を有する組電池が複数並列に接続される電力貯蔵システムの制御プログラムであって、
満充電状態より低い電池容量である充電上限値と放電終止状態より高い電池容量である放電下限値との区間で示される前記組電池の充放電許容範囲は、前記充放電許容範囲側に設けられる前記充電上限値からの所定範囲を示す上限維持範囲、及び前記充放電許容範囲側に設けられる前記放電下限値からの所定範囲を示す下限維持範囲のうち、少なくとも一つの範囲と、前記上限維持範囲及び前記下限維持範囲以外の区間である通常運転範囲とを有している場合に、
少なくとも一の前記二次電池の電池容量が、前記上限維持範囲または前記下限維持範囲に到達したことが検出された場合に、全ての前記組電池を、前記通常運転範囲の方向に充放電制御する充放電制御処理をコンピュータに実行させるための電力貯蔵システムの制御プログラム。
【手続補正２】
【補正対象書類名】明細書
【補正対象項目名】００１５
【補正方法】変更
【補正の内容】
【００１５】
上記電力貯蔵システムの制御装置において、前記組電池の前記充放電許容範囲は、前記上限維持範囲の下限値に上限維持制御解除設定値を設け、前記充放電制御手段は、各前記二次電池のセル電圧及び前記二次電池の充電率が、前記上限維持制御解除設定値となったことを検出した場合に、充放電制御を解除することが好ましい。
【手続補正３】
【補正対象書類名】明細書
【補正対象項目名】００１９
【補正方法】変更
【補正の内容】
【００１９】
上記電力貯蔵システムの制御装置において、前記組電池の前記充放電許容範囲は、前記下限維持範囲の上限値に下限維持制御解除設定値を設け、前記充放電制御手段は、各前記二次電池のセル電圧及び前記二次電池の充電率が、前記下限維持制御解除設定値となったことを検出した場合に、充放電制御を解除することが好ましい。
【手続補正４】
【補正対象書類名】明細書
【補正対象項目名】００２７
【補正方法】変更
【補正の内容】
【００２７】
前記電力貯蔵システムは、各前記組電池に対応付けられた、各前記組電池間の電圧調整を行う複数のコンバータと、各前記組電池に対応付けられた、前記コンバータと前記電力系統側との間に設けられる複数の切替手段とを具備する場合に、前記充放電制御手段は、少なくとも一の前記二次電池の電池容量が、前記上限維持範囲または前記下限維持範囲に到達したことを検出した場合に、一部の前記組電池に対応付けられた前記切替手段を非接続状態にし、前記組電池に対応付けられた前記切替手段が接続状態のままとなっている他の前記組電池を、前記上限維持範囲の下限値に設けられる上限維持制御解除設定値または前記下限維持範囲の上限値に設けられる下限維持制御解除設定値まで充放電制御させることとしてもよい。
【手続補正５】
【補正対象書類名】明細書
【補正対象項目名】００２８
【補正方法】変更
【補正の内容】
【００２８】
このように、一部の組電池を優先的に上限維持制御解除設定値（または下限維持制御解除設定値）まで充放電制御させて復帰させることにより、部分運転にて電力系統側に対して速やかな通常運転の再開を提供する。